【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域のすべてに前記表示結果が導出されることにより１ゲームが終了し、１ゲームの結果として前記複数の可変表示領域のそれぞれに導出された前記表示結果の組合せに応じて入賞が発生可能とされたスロットマシンであって、
前記表示結果が導出されるより前に遊技者にとって有利な特定遊技状態への移行を伴う複数種類の特定入賞と前記特定入賞以外の一般入賞とを含む複数種類の入賞を発生する旨を許容するか否かを決定する事前決定手段と、
前記特定入賞の発生を許容する旨が決定されており、該特定入賞が発生しなかったときに該特定入賞の発生を許容する旨を次ゲーム以降に持ち越す特定持越手段と、
発生を許容する旨が決定された入賞に対応する許容フラグを設定する前記事前決定手段の決定結果に応じて前記複数の可変表示領域のそれぞれに表示結果を導出する制御を行なう導出制御手段と、
前記複数の可変表示領域すべてに表示結果が導出されたときに入賞が発生したか否かを判定する入賞判定手段とを備え、
前記事前決定手段は、
前記特定入賞の発生を許容せずに前記一般入賞のうちの特定一般入賞の発生を許容して当該特定一般入賞に対応する特定一般入賞用の許容フラグを設定する旨を決定する単独決定手段と、
前記複数種類の特定入賞のうちいずれかの発生を許容して当該特定入賞に対応する特定入賞用の許容フラグを設定する旨と、前記特定一般入賞の発生を許容して前記特定一般入賞用の許容フラグを設定する旨を決定することにより、当該特定入賞用の許容フラグが設定されることを除いて前記単独決定手段により前記特定一般入賞の発生を許容する旨が決定されたときと同じ入賞に対応する許容フラグを設定する旨を決定する同時決定手段とを含み、
前記導出制御手段は、前記特定一般入賞の発生を許容する旨が決定されていることに応じて、前記複数の可変表示領域のうちの予め定められた一の特定可変表示領域における、前記複数の可変表示領域に跨って設定された複数のラインのうち所定のライン上に特定の識別情報を導出する特定識別情報導出制御手段を含み、
前記入賞判定手段は、前記所定のライン上に導出される識別情報の組合せが、前記特定可変表示領域の識別情報として前記特定の識別情報が含まれる識別情報の組合せであることを条件として、前記複数の可変表示領域のうちの前記特定可変表示領域以外の非特定可変表示領域の識別情報に関わらず、前記特定一般入賞が発生したと判定し、
前記特定識別情報導出制御手段は、
前記単独決定手段により前記特定一般入賞の発生を許容する旨が決定されて前記特定一般入賞用の許容フラグを設定する所定決定結果であるときと、前記同時決定手段により前記複数種類の特定入賞のうちいずれかの発生を許容する旨が決定されて当該特定入賞用の許容フラグを設定するとともに前記特定一般入賞用の許容フラグを設定する特定決定結果であるときと、で異なる割合で前記非特定可変表示領域における前記所定のライン上に特定の識別情報を導出し、
前記特定決定結果が、前記複数種類の特定入賞のうち第１特定入賞の発生を許容する旨が決定された第１特定決定結果であるときと、前記複数種類の特定入賞のうち第２特定入賞の発生を許容する旨が決定された第２特定決定結果であるときと、で異なる割合で前記非特定可変表示領域における前記所定のライン上に特定の識別情報を導出することを特徴とする、スロットマシン。
【手続補正２】
【補正対象書類名】明細書
【補正対象項目名】０００９
【補正方法】変更
【補正の内容】
【０００９】
（１）  各々が識別可能な複数種類の識別情報を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域のすべてに前記表示結果が導出されることにより１ゲームが終了し、１ゲームの結果として前記複数の可変表示領域のそれぞれに導出された前記表示結果の組合せに応じて入賞が発生可能とされたスロットマシン（スロットマシン１）であって、
前記表示結果が導出されるより前に遊技者にとって有利な特定遊技状態（ビッグボーナス、レギュラーボーナス、チャレンジボーナス）への移行を伴う複数種類の特定入賞（特別役、ビッグボーナス（１），（２）、レギュラーボーナス）と前記特定入賞以外の一般入賞（小役、再遊技役）とを含む複数種類の入賞を発生する旨を許容するか否かを決定する事前決定手段（Ｓ４０２）と、
前記特定入賞の発生を許容する旨が決定されており、該特定入賞が発生しなかったときに該特定入賞の発生を許容する旨を次ゲーム以降に持ち越す特定持越手段（Ｓ４０５、特別ワーク４１ｃ−３）と、
発生を許容する旨が決定された入賞に対応する許容フラグを設定する前記事前決定手段の決定結果に応じて前記複数の可変表示領域のそれぞれに表示結果を導出する制御を行なう導出制御手段（Ｓ４０３）と、
前記複数の可変表示領域すべてに表示結果が導出されたときに入賞が発生したか否かを判定する入賞判定手段とを備え、
前記事前決定手段は、
前記特定入賞の発生を許容せずに前記一般入賞のうちの特定一般入賞（赤チェリー、赤チェリー（１））の発生を許容して当該特定一般入賞に対応する特定一般入賞用の許容フラグを設定する旨を決定する単独決定手段（図１１参照、たとえば、赤チェリー、図５４参照、たとえば、赤チェリー（１））と、
前記複数種類の特定入賞のうちいずれかの発生を許容して当該特定入賞に対応する特定入賞用の許容フラグを設定する旨と、前記特定一般入賞の発生を許容して前記特定一般入賞用の許容フラグを設定する旨を決定することにより、当該特定入賞用の許容フラグが設定されることを除いて前記単独決定手段により前記特定一般入賞の発生を許容する旨が決定されたときと同じ入賞に対応する許容フラグを設定する旨を決定する同時決定手段（（図１１参照、たとえば、ビッグボーナス（１）＋赤チェリー、図５４参照、たとえば、ビッグボーナス（１）＋赤チェリー（１）））とを含み、
前記導出制御手段は、前記特定一般入賞の発生を許容する旨が決定されていることに応じて、前記複数の可変表示領域のうちの予め定められた一の特定可変表示領域における、前記複数の可変表示領域に跨って設定された複数のラインのうち所定のライン上に特定の識別情報を導出する特定識別情報導出制御手段（少なくとも赤チェリーまたは赤チェリー（１）に当選しているときのリール制御、図１３、図１４等参照）を含み、
前記入賞判定手段は、前記所定のライン上に導出される識別情報の組合せが、前記特定可変表示領域の識別情報として前記特定の識別情報が含まれる識別情報の組合せであることを条件として、前記複数の可変表示領域のうちの前記特定可変表示領域以外の非特定可変表示領域の識別情報に関わらず、前記特定一般入賞が発生したと判定し、
前記特定識別情報導出制御手段は、
前記単独決定手段により前記特定一般入賞の発生を許容する旨が決定されて前記特定一般入賞用の許容フラグを設定する所定決定結果であるときと、前記同時決定手段により前記複数種類の特定入賞のうちいずれかの発生を許容する旨が決定されて当該特定入賞用の許容フラグを設定するとともに前記特定一般入賞用の許容フラグを設定する特定決定結果であるときと、で異なる割合で前記非特定可変表示領域における前記所定のライン上に特定の識別情報を導出し、
前記特定決定結果が、前記複数種類の特定入賞のうち第１特定入賞の発生を許容する旨が決定された第１特定決定結果であるときと、前記複数種類の特定入賞のうち第２特定入賞の発生を許容する旨が決定された第２特定決定結果であるときと、で異なる割合で前記非特定可変表示領域における前記所定のライン上に特定の識別情報を導出する。
【手続補正３】
【補正対象書類名】明細書
【補正対象項目名】００１０
【補正方法】変更
【補正の内容】
【００１０】
このような構成によれば、特定一般入賞の発生を許容する旨が決定されて特定一般入賞用の許容フラグを設定する所定決定結果であるときと、同時決定手段により複数種類の特定入賞のうちいずれかの発生を許容する旨が決定されて当該特定入賞用の許容フラグを設定するとともに特定一般入賞用の許容フラグを設定する特定決定結果であるときとで異なる割合で非特定可変表示領域における所定のライン上に特定の識別情報が導出される。このため、所定のライン上に導出された特定の識別情報の数に応じて、特定入賞の発生が同時に許容されていることに対する期待感を変化させることができる。その結果、たとえば所定の可変表示領域に特定の識別情報が導出されて特定一般入賞に発生することが確定した後であっても、所定の可変表示領域以外の可変表示領域に特定の識別情報が導出されることにより上記の期待感を変化させることができる。
【手続補正４】
【補正対象書類名】明細書
【補正対象項目名】００１１
【補正方法】変更
【補正の内容】
【００１１】
なお、前記特定識別情報導出制御手段により前記所定のライン上に導出される識別情報の組合せは、前記所定決定結果であるときよりも、前記特定決定結果であるときの方が高い割合で、前記特定の識別情報を多く含ませることにより（図１６、図１７参照）、特定識別情報導出制御手段により所定のライン上に導出される識別情報の組合せに含まれる特定の識別情報の数の期待値を特定一般入賞の発生が特定入賞の発生と同時に許容されていないときと特定入賞の発生と同時に許容されているときとで異ならせてもよい。
【手続補正５】
【補正対象書類名】明細書
【補正対象項目名】００１２
【補正方法】変更
【補正の内容】
【００１２】
このような構成によれば、特定一般入賞の発生が特定入賞の発生と同時に許容されていない所定決定結果であるときよりも特定入賞の発生と同時に許容されている特定決定結果であるときの方が高い割合で、特定識別情報導出制御手段により所定のライン上に導出される識別情報の組合せが特定の識別情報を多く含む組合せになる。このため、所定のライン上に導出された特定の識別情報の数に応じて、特定入賞の発生が同時に許容されていることに対する期待感を変化させることができる。その結果、たとえば所定の可変表示領域に特定の識別情報が導出されて特定一般入賞に発生することが確定した後であっても、所定の可変表示領域以外の可変表示領域に特定の識別情報が導出されることにより上記の期待感を向上させることができる。
【手続補正６】
【補正対象書類名】明細書
【補正対象項目名】００１３
【補正方法】変更
【補正の内容】
【００１３】
また、前記特定識別情報導出制御手段により前記所定のライン上に導出される識別情報の組合せは、前記特定決定結果であるときよりも前記所定決定結果であるときの方が高い割合で、前記特定の識別情報を多く含ませることにより（変形例（４２−１）、（４２−２）、（４３−１）、（４３−２）参照）、特定識別情報導出制御手段により所定のライン上に導出される識別情報の組合せに含まれる特定の識別情報の数の期待値を特定一般入賞の発生が特定入賞の発生と同時に許容されていないときと特定入賞の発生と同時に許容されているときとで異ならせてもよい。
【手続補正７】
【補正対象書類名】明細書
【補正対象項目名】００１４
【補正方法】変更
【補正の内容】
【００１４】
このような構成によれば、特定一般入賞の発生が特定入賞の発生と同時に許容されている特定決定結果であるときよりも特定入賞の発生と同時に許容されていない所定決定結果であるときの方が高い割合で、特定識別情報導出制御手段により所定のライン上に導出される識別情報の組合せが特定の識別情報を多く含む組合せになる。このため、所定のライン上に導出された特定の識別情報の数に応じて、特定入賞の発生が同時に許容されていることに対する期待感を変化させることができる。その結果、たとえば所定の可変表示領域に特定の識別情報が導出されて特定一般入賞に発生することが確定した後、所定の可変表示領域以外の可変表示領域に特定の識別情報が導出されないことまたは導出された場合であっても極力その数が少ないことにより上記の期待感を向上させることができる。
【手続補正８】
【補正対象書類名】明細書
【補正対象項目名】００１５
【補正方法】変更
【補正の内容】
【００１５】
特定識別情報導出制御手段により所定のライン上に導出される識別情報の組合せに含まれる特定の識別情報の数の期待値とは、たとえば、理論値に基づき算出される平均値であってもよく、実測値に基づき算出される平均値であってもよい。期待値の一例としては、たとえば、赤チェリーが所定のライン上に停止表示される個数（０〜３）を変数Ｘ（Ｘ０、Ｘ１、Ｘ２、Ｘ３）とし、それらの個数になる理論上の確率（たとえば、図１５に示す出現割合参照）が定数Ｐ（Ｐ０、Ｐ１、Ｐ２、Ｐ３）であるとき、Ｘの期待値＝Ｘ０・Ｐ０＋Ｘ１・Ｐ１＋Ｘ２・Ｐ２＋Ｘ３・Ｐ３を算出することにより得られる値であってもよい。
【手続補正９】
【補正対象書類名】明細書
【補正対象項目名】００１６
【補正方法】変更
【補正の内容】
【００１６】
なお、前記可変表示装置の表示結果が導出されたときに入賞が発生したか否かを判定する入賞判定手段（Ｓ４０４）をさらに備え、
前記入賞判定手段は、前記一の入賞ライン上に導出される識別情報の組合せが、前記複数の可変表示領域のうちの少なくとも一の所定の可変表示領域（左リール２Ｌ）の識別情報として前記特定の識別情報が含まれる識別情報の組合せ（「赤チェリー−Ａｎｙ−Ａｎｙ」）であることを条件として、前記特定一般入賞が発生したと判定し、
前記特定識別情報導出制御手段は、前記単独決定手段の決定により前記特定一般入賞の発生を許容する旨が決定されているときと、前記同時決定手段の決定により前記特定一般入賞の発生を許容する旨が決定されているときとで異なる割合で、前記複数の可変表示領域のうちの前記所定の可変表示領域と異なる可変表示領域（中リール２Ｃ、右リール２Ｒ）における前記一の入賞ライン上に前記特定の識別情報を導出する（図１６、変形例（４２−１）、（４２−２）参照）。
【手続補正１０】
【補正対象書類名】明細書
【補正対象項目名】００１９
【補正方法】変更
【補正の内容】
【００１９】
なお、前記特定識別情報導出制御手段は、前記所定決定結果であるときよりも前記特定決定結果であるときの方が高い割合で、前記複数の可変表示領域のうちの前記所定の可変表示領域と異なる可変表示領域（中リール２Ｃ、右リール２Ｒ）における前記所定のライン上に特定の識別情報を導出する（図１６）ように構成してもよい。
【手続補正１１】
【補正対象書類名】明細書
【補正対象項目名】００２０
【補正方法】変更
【補正の内容】
【００２０】
このような構成によれば、特定一般入賞の発生が特定入賞の発生と同時に許容されていないときよりも特定入賞の発生と同時に許容されているときの方が高い割合で、特定識別情報導出制御手段により所定のライン上に導出される識別情報の組合せが特定の識別情報を多く含む組合せにするための制御が導出制御手段により行なわれるため、当該制御を行なうための設計を行ない易くすることができる。
【手続補正１２】
【補正対象書類名】明細書
【補正対象項目名】００２１
【補正方法】変更
【補正の内容】
【００２１】
また、前記特定識別情報導出制御手段は、前記特定決定結果であるときよりも前記所定決定結果であるときの方が高い割合で、前記複数の可変表示領域のうちの前記所定の可変表示領域と異なる可変表示領域（中リール２Ｃ、右リール２Ｒ）における前記所定のライン上に特定の識別情報を導出する（図１６、変形例（４２−１）参照）ように構成してもよい。
【手続補正１３】
【補正対象書類名】明細書
【補正対象項目名】００２２
【補正方法】変更
【補正の内容】
【００２２】
このような構成によれば、特定一般入賞の発生が特定入賞の発生と同時に許容されているときよりも特定入賞の発生と同時に許容されていないときの方が高い割合で、特定識別情報導出制御手段により所定のライン上に導出される識別情報の組合せが特定の識別情報を多く含む組合せにするための制御が導出制御手段により行なわれるため、当該制御を行なうための設計を行ない易くすることができる。
【手続補正１４】
【補正対象書類名】明細書
【補正対象項目名】００２３
【補正方法】変更
【補正の内容】
【００２３】
（２）  前記特定識別情報導出制御手段は、前記特定決定結果であるときにのみ（ボーナスが同時当選していること）、前記所定のライン上に特定の識別情報を所定数（３つ）含む識別情報の組合せを導出する（図１６参照）。
【手続補正１５】
【補正対象書類名】明細書
【補正対象項目名】００２４
【補正方法】変更
【補正の内容】
【００２４】
このような構成によれば、所定のライン上に特定の識別情報を所定数（３つ）含む識別情報の組合せとなることに対する期待感を向上させることができる。
【手続補正１６】
【補正対象書類名】明細書
【補正対象項目名】００２５
【補正方法】変更
【補正の内容】
【００２５】
なお、前記可変表示装置の表示結果が導出されたときに入賞が発生したか否かを判定する入賞判定手段（Ｓ４０４）をさらに備え、
前記入賞判定手段は、
前記一の入賞ライン上に導出される識別情報の組合せが、前記複数の可変表示領域のうちの少なくとも一の所定の可変表示領域（左リール２Ｌ）の識別情報として前記特定の識別情報が含まれる識別情報の組合せ（「赤チェリー−Ａｎｙ−Ａｎｙ」）であることを条件として、前記特定一般入賞のうち第１の特定一般入賞（赤チェリー（１））が発生したと判定し、
前記一の入賞ライン上に導出される識別情報の組合せが、前記複数の可変表示領域のうち前記所定の可変表示領域と異なる可変表示領域（中リール２Ｃ）を含む少なくとも２以上の可変表示領域（左リール２Ｌ、中リール２Ｃ）の識別情報として前記特定の識別情報が含まれる識別情報の組合せ（「赤チェリー−赤チェリー−Ａｎｙ」）であることを条件として、前記特定一般入賞のうち第２の特定一般入賞（赤チェリー（２））が発生したと判定し、
前記事前決定手段は、前記単独決定手段が前記特定一般入賞の発生を許容したとき（図５４参照、赤チェリー（１）、赤チェリー（１）＋（２）、赤チェリー（１）＋黒チェリーのいずれかに当選したとき）に当該特定一般入賞が前記第２の特定一般入賞である割合と、前記同時決定手段が前記特定一般入賞の発生を許容したとき（図５４参照、ビッグボーナス（１）＋赤チェリー（１）、ビッグボーナス（１）＋赤チェリー（１）＋（２）、ビッグボーナス（１）＋赤チェリー（１）〜（３）、ビッグボーナス（２）＋赤チェリー（１）、ビッグボーナス（２）＋赤チェリー（１）＋（２）、ビッグボーナス（２）＋赤チェリー（１）〜（３）、レギュラーボーナス（１）＋赤チェリー（１）、レギュラーボーナス（１）＋赤チェリー（１）＋（２）、レギュラーボーナス（１）＋赤チェリー（１）〜（３）のいずれかに当選したとき）に当該特定一般入賞が前記第２の特定一般入賞である割合とが異なるように、前記特定一般入賞の発生を許容するか否かを決定する（図５４、図５５参照、赤チェリー（１）当選時のボーナス同時当選割合よりも赤チェリー（２）当選時のボーナス同時当選割合の方が高い、変形例（４３−１）、（４３−２））。
【手続補正１７】
【補正対象書類名】明細書
【補正対象項目名】００３２
【補正方法】変更
【補正の内容】
【００３２】
なお、前記入賞判定手段は、前記一の入賞ライン上に導出される識別情報の組合せが、前記複数の可変表示領域のうち前記所定の可変表示領域と異なる可変表示領域を含む所定数（３つ）の可変表示領域（左リール２Ｌ、中リール２Ｃ、右リール２Ｒ）の識別情報として前記特定の識別情報が含まれる識別情報の組合せ（「赤チェリー−赤チェリー−赤チェリー」）であることを条件として、前記特定一般入賞のうち第３の特定一般入賞（赤チェリー（３））が発生したと判定し、
前記単独決定手段は、前記第３の特定一般入賞の発生を許容する旨を決定せず、
前記同時決定手段は、前記特定入賞の発生を許容する旨を新たに決定するときに前記第３の特定一般入賞の発生を許容する旨を同時に決定する（図５４参照）。
【手続補正１８】
【補正対象書類名】明細書
【補正対象項目名】００３４
【補正方法】変更
【補正の内容】
【００３４】
（３）  前記特定識別情報導出制御手段は、前記所定決定結果であるときよりも前記特定決定結果であるときの方が高い割合で、前記特定の識別情報を含む識別情報の組合せを前記複数のラインのうち特定のライン（左リール２Ｌの上段および中段を通る入賞ラインＬ１、Ｌ３、Ｌ５）に導出する（図１３〜図１５）。
【手続補正１９】
【補正対象書類名】明細書
【補正対象項目名】００３５
【補正方法】変更
【補正の内容】
【００３５】
このような構成によれば、特定の識別情報が複数導出されたラインが特定のライン以外のラインであるときよりも特定のラインであるときの方が、特定入賞の発生が同時に許容されていることに対する期待感を向上させることができる。
【手続補正２０】
【補正対象書類名】明細書
【補正対象項目名】００３６
【補正方法】変更
【補正の内容】
【００３６】
（４）  前記特定入賞は、第１特定入賞（たとえばビッグボーナス（２））と第２特定入賞（たとえばビッグボーナス（１））とを含む複数種類の特定入賞が設けられており、
前記特定入賞が発生したときに、遊技者にとっての有利度合い（規定枚数、終了後ＲＴの有無）が異なる複数種類の特定遊技状態のうち、発生した特定入賞の種類に応じた特定遊技状態に制御する特定遊技状態制御手段（Ｓ９０７）を備え、
前記特定識別情報導出制御手段は、前記同時決定手段により前記特定一般入賞の発生を許容する旨が前記第１特定入賞の発生と同時に許容する旨が新たに決定されているときと、前記第２特定入賞の発生と同時に許容する旨が新たに決定されているときと、で異なる割合で前記非特定可変表示領域における前記所定のライン上に特定の識別情報を導出する（図１６参照）。
【手続補正２１】
【補正対象書類名】明細書
【補正対象項目名】００３７
【補正方法】変更
【補正の内容】
【００３７】
このような構成によれば、所定のライン上に導出された特定の識別情報の数に応じて、遊技者にとって有利度合いが高い種類の特定入賞の発生が同時に許容されていることに対する期待感を変化させることができる。
【手続補正２２】
【補正対象書類名】明細書
【補正対象項目名】００３８
【補正方法】変更
【補正の内容】
【００３８】
なお、前記特定識別情報導出制御手段により前記所定のライン上に導出される識別情報の組合せは、前記同時決定手段の決定により前記特定一般入賞の発生を許容する旨が前記第１特定入賞の発生と同時に許容する旨が新たに決定されているときよりも前記第２特定入賞の発生と同時に許容する旨が新たに決定されているときの方が高い割合で、前記特定の識別情報を多く含む（図１６参照）ように構成してもよい。
【手続補正２３】
【補正対象書類名】明細書
【補正対象項目名】００３９
【補正方法】変更
【補正の内容】
【００３９】
このような構成によれば、所定のライン上に導出された特定の識別情報の数が多いほど、遊技者にとって有利度合いが高い種類の特定入賞の発生が同時に許容されていることに対する期待感を向上させることができる。
【手続補正２４】
【補正対象書類名】明細書
【補正対象項目名】００４０
【補正方法】変更
【補正の内容】
【００４０】
また、前記特定識別情報導出制御手段により前記所定のライン上に導出される識別情報の組合せは、前記同時決定手段の決定により前記特定一般入賞の発生を許容する旨が前記第２特定入賞の発生と同時に許容する旨が新たに決定されているときよりも前記第１特定入賞の発生と同時に許容する旨が新たに決定されているときの方が高い割合で、前記特定の識別情報を多く含む（変形例（４３−２））ように構成してもよい。
【手続補正２５】
【補正対象書類名】明細書
【補正対象項目名】００４１
【補正方法】変更
【補正の内容】
【００４１】
このような構成によれば、所定のライン上に導出された特定の識別情報の数が少ないほど、遊技者にとって有利度合いが高い種類の特定入賞の発生が同時に許容されていることに対する期待感を向上させることができる。
【手続補正２６】
【補正対象書類名】明細書
【補正対象項目名】００４２
【補正方法】変更
【補正の内容】
【００４２】
（５）  前記特定入賞は、第１特定入賞（たとえばビッグボーナス（２））と第２特定入賞（たとえばビッグボーナス（１））とを含む複数種類の特定入賞が設けられており、
前記特定入賞が発生したときに、遊技者にとっての有利度合い（規定枚数、終了後ＲＴの有無）が異なる複数種類の特定遊技状態のうち、発生した特定入賞の種類に応じた特定遊技状態に制御する特定遊技状態制御手段（Ｓ９０７）を備え、
前記特定識別情報導出制御手段は、前記同時決定手段により前記特定一般入賞の発生を許容する旨が前記第１特定入賞の発生と同時に許容する旨が新たに決定されているときよりも前記第２特定入賞の発生と同時に許容する旨が新たに決定されているときの方が高い割合で、前記特定の識別情報を含む識別情報の組合せを前記複数のラインのうち特定のライン（左リール２Ｌの中段を通る入賞ラインＬ５）に導出する（図１３〜図１５）。
【手続補正２７】
【補正対象書類名】明細書
【補正対象項目名】００４３
【補正方法】変更
【補正の内容】
【００４３】
このような構成によれば、複数の特定の識別情報が導出されたラインに応じて、遊技者にとって有利度合いが高い種類の特定入賞の発生が同時に許容されていることに対する期待感を変化させることができる。